(57)【要約】【目的】  記録媒体の試し書き領域に記録感度特性のムラであってもＯＰＣで得られる記録パワーのばらつきを低減できるようにする【構成】  ＣＰＵ１４の制御により、ＬＤ８の光の発光パワーを検出し、そのうちの記録パワーにあたるレベルを保持し、そのレベルが基準値になるようにＬＤ８へ供給する電流量を調整して光を発生させる自動パワー制御を選択し、その自動パワー制御で光ディスク１へ試し書きし、その試し書きの結果が所定の基準を満たすときにはそれで得られた記録パワーを最適記録パワーに決定し、試し書きの結果が所定の基準を満たさないときには自動パワー制御からＬＤ８に一定の電流量を供給して光を発生させる定電流制御に切り換え、その定電流制御で光ディスク１へ試し書きし、その試し書きの結果が所定の基準を満たすときにはそれで得られた記録パワーを最適記録パワーに決定する。【選択図】        図１
2005209269.tif 000002
【特許請求の範囲】
【請求項１】
記録媒体に光源から発生させた光を照射して情報を記録する情報記録装置において、
前記光源から発生させた光の発光パワーを検出し、該検出された発光パワーのうちの記録パワーにあたるレベルを保持し、その保持されたレベルが予め設定された基準値になるように前記光源へ供給する電流量を調整して光を発生させる制御を行う自動パワー制御を選択し、該自動パワー制御による前記記録媒体へのデータの試し書きを行い、該試し書きの結果が所定の基準を満たすときにはその試し書きによって得られた記録パワーを最適記録パワーに決定し、前記試し書きの結果が所定の基準を満たさないときには前記自動パワー制御から前記光源に一定の電流量を供給して光を発生させる制御を行う定電流制御に切り換え、該定電流制御による前記記録媒体へのデータの試し書きを行い、該試し書きの結果が所定の基準を満たすときにはその試し書きによって得られた記録パワーを最適記録パワーに決定する最適記録パワー決定手段を備えたことを特徴とする情報記録装置。
【請求項２】
請求項１記載の情報記録装置において、
前記最適記録パワー決定手段は、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定し、単調性がないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定する手段であることを特徴とする情報記録装置。
【請求項３】
請求項１記載の情報記録装置において、
前記最適記録パワー決定手段は、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定する手段であることを特徴とする情報記録装置。
【請求項４】
請求項１記載の情報記録装置において、
前記最適記録パワー決定手段は、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御時の補正記録パワーと前記範囲との差分値を求めて記憶し、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定し、前記範囲内の値ではないと判断した場合、前記定電流制御時の補正記録パワーと前記範囲との差分値を求めて記憶し、前記両差分値のうちの小さい方の差分値に対応する補正記録パワーを最適記録パワーに決定する手段であることを特徴とする情報記録装置。
【請求項５】
記録媒体に光源から発生させた光を照射して情報を記録する情報記録方法において、
前記光源から発生させた光の発光パワーを検出し、該検出された発光パワーのうちの記録パワーにあたるレベルを保持し、その保持されたレベルが予め設定された基準値になるように前記光源へ供給する電流量を調整して光を発生させる制御を行う自動パワー制御を選択し、該自動パワー制御による前記記録媒体へのデータの試し書きを行い、該試し書きの結果が所定の基準を満たすときにはその試し書きによって得られた記録パワーを最適記録パワーに決定し、前記試し書きの結果が所定の基準を満たさないときには前記自動パワー制御から前記光源に一定の電流量を供給して光を発生させる制御を行う定電流制御に切り換え、該定電流制御による前記記録媒体へのデータの試し書きを行い、該試し書きの結果が所定の基準を満たすときにはその試し書きによって得られた記録パワーを最適記録パワーに決定する最適記録パワー決定工程を有することを特徴とする情報記録方法。
【請求項６】
請求項５記載の情報記録方法において、
前記最適記録パワー決定工程は、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定し、単調性がないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定する工程であることを特徴とする情報記録方法。
【請求項７】
請求項５記載の情報記録方法において、
前記最適記録パワー決定工程は、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定する工程であることを特徴とする情報記録方法。
【請求項８】
請求項５記載の情報記録方法において、
前記最適記録パワー決定工程は、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御時の補正記録パワーと前記範囲との差分値を求めて記憶し、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定し、前記範囲内の値ではないと判断した場合、前記定電流制御時の補正記録パワーと前記範囲との差分値を求めて記憶し、前記両差分値のうちの小さい方の差分値に対応する補正記録パワーを最適記録パワーに決定する工程であることを特徴とする情報記録方法。
【請求項９】
コンピュータに、光源から発生させた光の発光パワーを検出し、該検出された発光パワーのうちの記録パワーにあたるレベルを保持し、その保持されたレベルが予め設定された基準値になるように前記光源へ供給する電流量を調整して光を発生させる制御を行う自動パワー制御を選択し、該自動パワー制御による前記記録媒体へのデータの試し書きを行い、該試し書きの結果が所定の基準を満たすときにはその試し書きによって得られた記録パワーを最適記録パワーに決定し、前記試し書きの結果が所定の基準を満たさないときには前記自動パワー制御から前記光源に一定の電流量を供給して光を発生させる制御を行う定電流制御に切り換え、該定電流制御による前記記録媒体へのデータの試し書きを行い、該試し書きの結果が所定の基準を満たすときにはその試し書きによって得られた記録パワーを最適記録パワーに決定する最適記録パワー決定手順を実行させるためのプログラム。
【請求項１０】
請求項９記載のプログラムにおいて、
前記最適記録パワー決定手順は、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定し、単調性がないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定する手順であることを特徴とするプログラム。
【請求項１１】
請求項９記載のプログラムにおいて、
前記最適記録パワー決定手順は、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定する手順であることを特徴とするプログラム。
【請求項１２】
請求項９記載のプログラムにおいて、
前記最適記録パワー決定手順は、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御時の補正記録パワーと前記範囲との差分値を求めて記憶し、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定し、前記範囲内の値ではないと判断した場合、前記定電流制御時の補正記録パワーと前記範囲との差分値を求めて記憶し、前記両差分値のうちの小さい方の差分値に対応する補正記録パワーを最適記録パワーに決定する手順であることを特徴とするプログラム。
【請求項１３】
請求項９乃至１２のいずれか一項に記載のプログラムを記録したコンピュータ読み取り可能な記録媒体。
【発明の詳細な説明】
【技術分野】
【０００１】
この発明は、光ディスク等の記録媒体にレーザ光等の光を用いてデータを記録する光ディスク装置等の情報記録装置と情報記録方法とプログラムとコンピュータ読み取り可能な記録媒体に関する。
【背景技術】
【０００２】
レーザ光を用いて光ディスクにデータを記録できる光ディスク装置においては、データを記録する前に最適記録パワーを求めるためにオプティマム・パワー・コントロール（Ｏｐｔｉｍｕｍ  Ｐｏｗｅｒ  Ｃｏｎｔｒｏｌ：ＯＰＣ）と呼ばれる記録パワー最適化処理を行う必要がある。
次に、現在一般的に用いられているＯＰＣの処理を説明する。
まず、光ディスクの試し書き領域に記録パワーＰを変化させながら試し書き用のデータを記録し、その記録したデータを再生し、その再生信号の振幅値ｍを測定し、記録パワーＰ，振幅値ｍ，式γ＝（Δｍ／ΔＰ）＊（ｍ／Ｐ）に基づく変数γを計算する。ここで、変数γは記録パワーＰに対する振幅値ｍの変化量を正規化したものである。
そして、予め光ディスクで指定された変化量γｔ（＝上記変数γ）が得られる記録パワーＰｔを求め、その記録パワーＰｔに補正値ρを乗算して（Ｐｗ＝Ｐｔ＊ρ）得られた値を最適記録パワーＰｗに決定している。
【０００３】
図４は、光ディスクの内周から外周までの記録領域のフォーマットを示す図である。
光ディスクの記録領域は、ＯＰＣが行われる領域であるパワーキャリブレーション領域（Ｐｏｗｅｒ  Ｃａｌｉｂｒａｔｉｏｎ  Ａｒｉａ：ＰＣＡ）２０とデータを記録するデータ領域（Ｄａｔａ  Ａｒｅａ）２１からなる。ＰＣＡ領域２０は、試し書き領域（Ｔｅｓｔ  Ａｒｅａ）２２とカウント領域（Ｃｏｕｎｔ  Ａｒｅａ）２３という２つの領域から形成され、光ディスクの最内周に設けられている。
試し書き領域２２は、１５セクタ毎に１００のパーティションに分割されている。ここで、セクタとは光ディスク上の記録領域の最小単位である。
ＯＰＣを行う際は、試し書き領域２２の中で未記録のパーティションを探し出し、そのパーティションでセクタ毎に所定の範囲内の小さい記録パワーから大きい記録パワーまで記録パワーを変えてデータ記録を行い、その記録した部分のデータを再生することによって最も記録品質の良い記録パワーを探し出し、その記録パワーをデータ記録時に使用する最適記録パワーと決定する。
【０００４】
一方、カウント領域２３は、１セクタ毎に１００のパーティションに分割されている。カウント領域２３のパーティションは試し書き領域のそれぞれのパーティションに対応しており、試し書き領域２２のパーティションを使用した後、それに対応するカウント領域２３のパーティションにもデータが記録されることになっている。
しかし、同じ光ディスク装置、同じ光ディスクを用いたとしても、ＯＰＣを行う毎に決定する記録パワーにばらつきが発生する。このばらつきが大きくなれば、本来最適に記録できる記録パワーより離れた値の記録パワーで記録する頻度が高くなるため、記録品質の悪さを引き起こす要因となる。したがって、ＯＰＣ毎に決定される記録パワーのばらつきを低減することが必要である。
従来、データ記録中に自動パワー制御手段と定電流制御手段の切り換えを行い、データ記録直前にＯＰＣで得た記録パワーの値を保持する制御を行う情報記録装置（例えば、特許文献１参照）があった。
【特許文献１】特開２００１−３４４７９４号公報
【発明の開示】
【発明が解決しようとする課題】
【０００５】
しかしながら、従来の情報記録装置では、データ記録中に自動パワー制御手段と定電流制御手段の切り換えを行うものであり、データ記録中のパワー制御はあくまで記録直前にＯＰＣで得た記録パワーの値を保持しようとする制御であるので、ＯＰＣで得た記録パワーがばらつくという問題を解決することはできず、ＯＰＣで得た記録パワーがばらついていれば、データ記録中の記録パワー制御の精度が高くても、データ記録毎の記録パワーがばらついて記録品質を高めることができないという問題があった。
この発明は上記の点に鑑みてなされたものであり、記録媒体の試し書き領域に記録感度特性のムラであってもＯＰＣで得られる記録パワーのばらつきを低減できるようにすることを目的とする。
【課題を解決するための手段】
【０００６】
この発明は上記の目的を達成するため、次の（１）〜（４）の各情報記録装置を提供する。
（１）記録媒体に光源から発生させた光を照射して情報を記録する情報記録装置において、前記光源から発生させた光の発光パワーを検出し、該検出された発光パワーのうちの記録パワーにあたるレベルを保持し、その保持されたレベルが予め設定された基準値になるように前記光源へ供給する電流量を調整して光を発生させる制御を行う自動パワー制御を選択し、該自動パワー制御による前記記録媒体へのデータの試し書きを行い、該試し書きの結果が所定の基準を満たすときにはその試し書きによって得られた記録パワーを最適記録パワーに決定し、前記試し書きの結果が所定の基準を満たさないときには前記自動パワー制御から前記光源に一定の電流量を供給して光を発生させる制御を行う定電流制御に切り換え、該定電流制御による前記記録媒体へのデータの試し書きを行い、該試し書きの結果が所定の基準を満たすときにはその試し書きによって得られた記録パワーを最適記録パワーに決定する最適記録パワー決定手段を備えた情報記録装置。
【０００７】
（２）上記（１）の情報記録装置において、前記最適記録パワー決定手段を、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定し、単調性がないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定する手段にした情報記録装置。
【０００８】
（３）上記（１）の情報記録装置において、前記最適記録パワー決定手段を、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定する手段にした情報記録装置。
【０００９】
（４）上記（１）の情報記録装置において、前記最適記録パワー決定手段を、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御時の補正記録パワーと前記範囲との差分値を求めて記憶し、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定し、前記範囲内の値ではないと判断した場合、前記定電流制御時の補正記録パワーと前記範囲との差分値を求めて記憶し、前記両差分値のうちの小さい方の差分値に対応する補正記録パワーを最適記録パワーに決定する手段にした情報記録装置。
【００１０】
また、次の（５）〜（８）の各情報記録方法も提供する。
（５）記録媒体に光源から発生させた光を照射して情報を記録する情報記録方法において、前記光源から発生させた光の発光パワーを検出し、該検出された発光パワーのうちの記録パワーにあたるレベルを保持し、その保持されたレベルが予め設定された基準値になるように前記光源へ供給する電流量を調整して光を発生させる制御を行う自動パワー制御を選択し、該自動パワー制御による前記記録媒体へのデータの試し書きを行い、該試し書きの結果が所定の基準を満たすときにはその試し書きによって得られた記録パワーを最適記録パワーに決定し、前記試し書きの結果が所定の基準を満たさないときには前記自動パワー制御から前記光源に一定の電流量を供給して光を発生させる制御を行う定電流制御に切り換え、該定電流制御による前記記録媒体へのデータの試し書きを行い、該試し書きの結果が所定の基準を満たすときにはその試し書きによって得られた記録パワーを最適記録パワーに決定する最適記録パワー決定工程を有する情報記録方法。
【００１１】
（６）上記（５）の情報記録方法において、前記最適記録パワー決定工程を、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定し、単調性がないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定する工程にした情報記録方法。
【００１２】
（７）上記（５）の情報記録方法において、前記最適記録パワー決定工程を、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定する工程にした情報記録方法。
【００１３】
（８）上記（５）の情報記録方法において、前記最適記録パワー決定工程を、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御時の補正記録パワーと前記範囲との差分値を求めて記憶し、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定し、前記範囲内の値ではないと判断した場合、前記定電流制御時の補正記録パワーと前記範囲との差分値を求めて記憶し、前記両差分値のうちの小さい方の差分値に対応する補正記録パワーを最適記録パワーに決定する工程にした情報記録方法。
【００１４】
さらに、次の（９）〜（１２）の各プログラムも提供する。
（９）コンピュータに、光源から発生させた光の発光パワーを検出し、該検出された発光パワーのうちの記録パワーにあたるレベルを保持し、その保持されたレベルが予め設定された基準値になるように前記光源へ供給する電流量を調整して光を発生させる制御を行う自動パワー制御を選択し、該自動パワー制御による前記記録媒体へのデータの試し書きを行い、該試し書きの結果が所定の基準を満たすときにはその試し書きによって得られた記録パワーを最適記録パワーに決定し、前記試し書きの結果が所定の基準を満たさないときには前記自動パワー制御から前記光源に一定の電流量を供給して光を発生させる制御を行う定電流制御に切り換え、該定電流制御による前記記録媒体へのデータの試し書きを行い、該試し書きの結果が所定の基準を満たすときにはその試し書きによって得られた記録パワーを最適記録パワーに決定する最適記録パワー決定手順を実行させるためのプログラム。
【００１５】
（１０）上記（９）のプログラムにおいて、前記最適記録パワー決定手順を、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定し、単調性がないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、その各振幅値に基づいて振幅値の変化に単調性があるか否かを判断し、単調性があると判断した場合、前記各振幅値に基づいて振幅値の変化量を求め、予め登録された記録パワーと再生信号の振幅値の変化量との対応関係の情報に基づいて前記求めた変化量に対応する記録パワーを求め、該記録パワーを最適記録パワーに決定する手順にしたプログラム。
【００１６】
（１１）上記（９）のプログラムにおいて、前記最適記録パワー決定手順を、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定する手順にしたプログラム。
【００１７】
（１２）上記（９）のプログラムにおいて、前記最適記録パワー決定手順を、前記自動パワー制御を選択し、前記記録媒体内の試し書きに使用するパーティション内の各セクタにそれぞれ記録パワーを変化させて光を照射してデータを記録し、各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して自動パワー制御時の補正記録パワーを求め、前記記録媒体に対する同じ記録速度による試し書き回数が予め設定した回数以下か否かを判断し、前記試し書き回数が予め設定した回数以下と判断した場合、前記自動パワー制御時の補正記録パワーを最適記録パワーに決定し、前記試し書き回数が予め設定した回数以下ではないと判断した場合、前記自動パワー制御時の補正記録パワーが今までの試し書きによって決定された記録パワーの最小値から最大値までの範囲内の値か否かを判断し、前記範囲内の値であると判断した場合、前記自動パワー制御時の補正記録パワーを最適記録パワーに決定し、前記範囲内の値ではないと判断した場合、前記自動パワー制御時の補正記録パワーと前記範囲との差分値を求めて記憶し、前記自動パワー制御から前記定電流制御に切り換え、前記記録媒体内の試し書きに使用するパーティション内の各セクタにそれぞれ記録パワーを変化させて光を照射してデータを記録し、前記各セクタに記録したデータを再生し、その各再生信号から各振幅値を求め、前記各振幅値に基づいて振幅値の変化量を求め、予め登録された記録パワーと再生信号の振幅値の変化量との対応関係の情報に基づいて前記求めた変化量に対応する記録パワーを求め、該記録パワーに補正値を加算して定電流制御時の補正記録パワーを求め、前記記録媒体に対する同じ記録速度による試し書き回数が予め設定した回数以下か否かを判断し、前記試し書き回数が予め設定した回数以下と判断した場合、前記定電流制御時の補正記録パワーを最適記録パワーに決定し、前記試し書き回数が予め設定した回数以下ではないと判断した場合、前記定電流制御時の補正記録パワーが今までの試し書きによって決定された記録パワーの最小値から最大値までの範囲内の値か否かを判断し、前記範囲内の値であると判断した場合、前記定電流制御時の補正記録パワーを最適記録パワーに決定し、前記範囲内の値ではないと判断した場合、前記定電流制御時の補正記録パワーと前記範囲との差分値を求めて記憶し、前記両差分値のうちの小さい方の差分値に対応する補正記録パワーを最適記録パワーに決定する手順にしたプログラム。
【００１８】
さらにまた、次の（１３）のコンピュータ読み取り可能な記録媒体も提供する。
（１３）上記（９）乃至（１２）のいずれかのプログラムを記録したコンピュータ読み取り可能な記録媒体。
【発明の効果】
【００１９】
この発明による情報記録装置と情報記録方法は、記録媒体の試し書き領域に記録感度特性のムラであってもＯＰＣで得られる記録パワーのばらつきを低減することができる。
また、この発明によるプログラムは、コンピュータに、記録媒体の試し書き領域に記録感度特性のムラであってもＯＰＣで得られる記録パワーのばらつきを低減させるための機能を容易に実現させることができる。さらに、この発明によるコンピュータ読み取り可能な記録媒体は、記録媒体の試し書き領域に記録感度特性のムラであってもＯＰＣで得られる記録パワーのばらつきを低減させるための機能をコンピュータに容易に導入することができる。
【発明を実施するための最良の形態】
【００２０】
以下、この発明を実施するための最良の形態を図面に基づいて具体的に説明する。
図１は、この発明の情報記録装置の一実施形態である光ディスク装置の構成を示す機能ブロック図である。
光ディスク１は、ＣＤ−Ｒディスク，ＣＤ−ＲＷディスク，ＤＶＤ−Ｒディスク，ＤＶＤ−ＲＷディスク，ＤＶＤ＋Ｒディスク，ＤＶＤ＋ＲＷディスク，ＤＶＤ−ＲＡＭディスク等の記録媒体であり、回転モータであるスピンドルモータ（Ｓｐｉｎｄｌｅ  Ｍｏｔｏｒ）２により回転し、光源であるレーザダイオード（ＬＤ）８から発生させた光であるレーザ光（レーザビーム）Ｌを光ディスク１の記録面に照射してデータ（情報）の記録と再生を行う。
【００２１】
レーザドライバ（Ｌａｓｅｒ  Ｄｒｉｖｅｒ）７は、ＬＤ８から発生させるレーザ光Ｌの記録パワー（レーザパワー）をコントローラ６からのパワー指令に基づいて、図示を省略したデータ変調手段からのパルス信号によって光ディスク１に記録するデータに応じて記録パワーを変調する制御を行うレーザパワー制御手段の機能を果たす。
光ディスク１からの反射光を受光素子であるＰＤ９によって検出し、その反射光に応じた再生信号を、再生信号検出回路であるＲＦアンプ（ＲＦ  ＡＭＰ）１０によって増幅し、ピーク検出回路（Ｐ／Ｈ）１１及びボトム検出回路（Ｂ／Ｈ）１２により、それぞれ上側ピークレベルと下側ボトムレベルを検出し、ピーク検出回路１１からコントローラ６へ上側ピークレベル信号ＰＫを、ボトム検出回路１２からコントローラ６へ下側ボトムレベル信号ＢＴをそれぞれ入力する。
【００２２】
コントローラ６は、マイクロコンピュータであり、ＣＰＵ１４，プログラムＲＯＭ１５，データＲＡＭ１６，Ａ／Ｄコンバータ１７，Ｄ／Ａコンバータ１８などを備えている。
そして、内部のＡ／Ｄコンバータ１７にピーク検出回路１１及びボトム検出回路１２からの上側ピークレベル信号ＰＫと下側ボトムレベル信号ＢＴを入力し、Ｄ／Ａコンバータ１８でアナログ値に変換し、そのアナログ値に基づく記録パワー指令をＬＤ８へ出力し、レーザドライバ７が上記アナログ値の電圧値に比例した電流をＬＤ８に流して、データを記録する。レーザドライバ７はＬＤ８を駆動するものであり、コントローラ６から入力される記録パワー指令の電圧値に比例した電流をＬＤ８に流す。
【００２３】
この光ディスク装置では、最適記録パワー決定時の試し書きには、まず自動パワー制御（Ａｕｔｏ  Ｐｏｗｅｒ  Ｃｏｎｔｒｏｌ：ＡＰＣ）を行う。
図中のフロントセンスフォトダイオード（Ｆｒｏｎｔ  Ｓｅｎｓｅ  Ｐｈｏｔｏ  Ｄｉｏｄｅ：ＦＳＰＤ）３は、ＡＰＣを行うために記録パワーをモニタする受光素子であり、光電変換によりレーザ光Ｌを電流に変換する素子である。そのＦＳＰＤ３の出力は一旦Ｉ／Ｖアンプ４で電流電圧変換される。その出力はデータ読み出し時のパワー（リードパワーレベル）の電圧値とデータ記録時の記録パワー（ライトパワーレベル）の電圧値の２値の電圧値の方形波となるので、リード時の電圧値とライト時の電圧値をサンプリングして保持してやる必要がある。
【００２４】
そこで、サンプルホールド（Ｓａｍｐｌｅ  Ｈｏｌｄ：Ｓ／Ｈ）回路５で試し書き用のデータを記録するときの記録パワー（ライトパワー）時のレーザ光をＦＳＰＤ３で光電変換した出力値を保持する。それらの出力値と発光の記録パワーの値との関係情報を製造工程等で求めて不揮発性メモリ１３に記憶しておき、設定した記録パワーの時の出力値になるようにコントローラ６からレーザドライバ７へ命令を送り、ＬＤ８に流す電流量を調整してＡＰＣを行う。要はモニタの出力が所望の値になるようにＬＤ８に流す電流量を制御してやることで記録パワーの自動制御を行う。
【００２５】
しかし、ＡＰＣでは高速記録になるとデータ記録時の記録パワー（ライトパワーレベル）をホールドする時間が満足に得られず、サンプリングが間に合わなくなる問題が出てくる。サンプリングが間に合わないということは、設定した記録パワーとＬＤ８の実際の発光した光の記録パワーとがずれることを意味し、正確な記録パワー制御が成立していないことになる。
そこで、この光ディスク装置では、ＡＰＣによる記録パワー制御の精度が悪くなった場合に、他の記録パワー制御方法である定電流制御（Ａｕｔｏ  Ｃｕｒｒｅｎｔ  Ｃｏｎｔｒｏｌ：ＡＣＣという）に切り換える。
【００２６】
ＡＣＣでは、コントローラ６からレーザドライバ７へ常に一定したデジタル設定値を入力し、レーザドライバ７が一定電流をＬＤ８に流している。ＡＣＣはＡＰＣと違い、ＦＳＰＤ３，Ｉ／Ｖアンプ４，Ｓ／Ｈ回路５を用いないのが特徴である。
ＡＣＣでの記録パワー制御の精度の問題は、ＬＤ８の入力電流−光出力の関係のばらつきである。ＬＤ８の発光時間が長くなるにつれて入力電流−光出力の関係は変化するが、ＯＰＣの場合は発光時間が短いため、入力電流−光出力の関係は大きく変化することなく、ＡＣＣでの記録パワー制御の精度を良好に保てる。
【００２７】
すなわち、この光ディスク装置は、コントローラ６内のプログラムＲＯＭ１５にこの発明に係るプログラムを記憶し、データＲＡＭ１６に記録パワーＰｔと再生信号の振幅値の変化量γｔとの対応関係の情報等を記憶し、ＣＰＵ１４がそのプログラムを実行することにより、この発明に係る情報記録方法の処理を実行して、この発明に係る最適記録パワー決定手段の機能を果たす。また、この発明に係るプログラムをＣＤ−ＲＯＭディスク，ＣＤ−Ｒディスク，ＣＤ−ＲＷディスク，ＤＶＤ−Ｒディスク，ＤＶＤ−ＲＷディスク，ＤＶＤ＋Ｒディスク，ＤＶＤ＋ＲＷディスク，ＤＶＤ−ＲＡＭディスク等のコンピュータ読み取り可能な記録媒体に記録すれば、通常の光ディスク装置に接続したコンピュータからその光ディスク装置にインストールすることによってこの発明に係る機能を導入することができる。
【００２８】
次に、この光ディスク装置における最適記録パワー決定処理について説明する。
図２は、この光ディスク装置における第１の最適記録パワー決定処理を示すフローチャート図である。
ＣＰＵ１４は、ＯＰＣを開始し、ステップ（図中「Ｓ」で示す）１で自動パワー制御（ＡＰＣ）を選択する。この自動パワー制御は、ＬＤから発生させた光の発光パワーを検出し、その検出された発光パワーのうちの記録パワーにあたるレベルを保持し、その保持されたレベルが予め設定された基準値になるように光源へ供給する電流量を調整して光を発生させる制御である。
【００２９】
ステップ２で光ディスク内の試し書き領域の試し書きに使用するパーティション内の各セクタにそれぞれ記録パワーＰを変化させて光を照射してデータを記録する。ステップ３で各セクタに記録したデータを再生し、その各再生信号から各振幅値ｍを求める。ステップ４でその各振幅値ｍに基づいて振幅値の変化に単調性があるか否かを判断する。ステップ４では、隣接する各パーティションにおいて記録パワーＰに対する振幅値ｍの変化量ｄｍ／ｄＰを計算する。記録パワー制御，記録品質および再生品質に異常がない場合、記録パワーＰが増加するにつれて振幅値ｍも増加する傾向がある。そこで隣接する各パーティションにおける変化量ｄｍ／ｄＰが全てｄｍ／ｄＰ≧０であれば単調性があると判断し、一部でもｄｍ／ｄＰ≧０でなければ単調性が無いと判断する。
ステップ４の判断でｄｍ／ｄＰ≧０の場合、つまり単調性があると判断した場合、ステップ８へ進んで変数γ＝（Δｍ／ΔＰ）＊（ｍ／Ｐ）を求める。ステップ９で予め登録された記録パワーＰｔと再生信号の振幅値の変化量γｔとの対応関係の情報に基づいて上記求めた変数γに相当する変化量γｔに対応する記録パワーＰｔを求める。ステップ１０でその求めた記録パワーＰｔに補正値αを加算した記録パワーＰｗ＝Ｐｔ＋αを求め、その記録パワーＰｗを最適記録パワーに決定し、ＯＰＣを終了する。
【００３０】
一方、ステップ４の判断でｄｍ／ｄＰ≧０ではない場合、つまり単調性がないと判断した場合、ステップ５へ進んで上記自動パワー制御から定電流制御に切り換える。この定電流制御は、ＬＤに一定の電流量を供給して光を発生させる制御である。
ステップ６で光ディスク内の試し書き領域の試し書きに使用するパーティション内の各セクタにそれぞれ記録パワーＰを変化させて光を照射してデータを記録する。ステップ７で各セクタに記録したデータを再生し、その各再生信号から各振幅値ｍを求める。
ステップ８で変数γ＝（Δｍ／ΔＰ）＊（ｍ／Ｐ）を求める。ステップ９で予め登録された記録パワーＰｔと再生信号の振幅値の変化量γｔとの対応関係の情報に基づいて上記求めた変数γに相当する変化量γｔに対応する記録パワーＰｔを求める。ステップ１０でその求めた記録パワーＰｔに補正値αを加算した記録パワーＰｗ＝Ｐｔ＋αを求め、その記録パワーＰｗを最適記録パワーに決定し、ＯＰＣを終了する。
【００３１】
このように、光ディスク装置におけるＯＰＣ毎に決定される記録パワーのばらつきが発生する原因はさまざまであるが、記録パワー制御の誤差という要因があり、この実施形態の光ディスク装置では、ＯＰＣ時の記録パワー制御でＡＰＣとＡＣＣのうちの記録パワー制御の精度の良い方で最適記録パワーを決定することができ、記録パワーのばらつきを低減することができる。
【００３２】
また、ＡＰＣによる記録パワー制御の精度を知る方法として、記録済みの試し書き領域を再生したときの再生信号の振幅値ｍがある。再生信号の振幅値ｍの値は記録パワーＰが高いほど大きくなる。
ＡＰＣで高精度の記録パワー制御が出来なくなったときには、試し書き領域のパーティションの各セクタに記録する際に、小さい記録パワーから大きい記録パワーへ単調に記録パワーを変えることができず、記録済みの試し書き領域を再生したときの再生信号の振幅値ｍもセクタに対して単調性がなくなる。
したがって、再生信号の振幅値ｍの変化の単調性からＡＰＣの記録パワー制御の精度を判断することができ、それによりＡＰＣからＡＣＣに切り換えることができる。
【００３３】
図３は、この光ディスク装置における第２の最適記録パワー決定処理を示すフローチャート図である。
ＣＰＵ１４は、ＯＰＣを開始し、ステップ（図中「Ｓ」で示す）２１で自動パワー制御（ＡＰＣ）を選択する。この自動パワー制御は、ＬＤから発生させた光の発光パワーを検出し、その検出された発光パワーのうちの記録パワーにあたるレベルを保持し、その保持されたレベルが予め設定された基準値になるように光源へ供給する電流量を調整して光を発生させる制御である。
【００３４】
ステップ２２で光ディスク内の試し書き領域の試し書きに使用するパーティション内の各セクタにそれぞれ記録パワーＰを変化させて光を照射してデータを記録する。ステップ２３で各セクタに記録したデータを再生し、その各再生信号から各振幅値ｍを求める。ステップ２４で上記各振幅値ｍに基づいて振幅値の変数γ＝（Δｍ／ΔＰ）＊（ｍ／Ｐ）を求める。ステップ２５で予め登録された記録パワーＰｔと再生信号の振幅値の変化量γｔとの対応関係の情報に基づいて上記求めた変数γに相当する変化量γｔに対応する記録パワーＰｔを求める。ステップ２６でその求めた記録パワーＰｔに補正値αを加算した自動パワー制御時の記録パワーＰ′＝Ｐｔ＋αを求める。
【００３５】
ステップ２７で当該光ディスクに対する同じ記録速度によるＯＰＣ回数（試し書き回数）が予め設定した回数Ｘ以下か否かを判断する。ＯＰＣ回数が予め設定した回数Ｘ以下と判断した場合、ステップ３１へ進んで上記自動パワー制御時の補正記録パワーＰ′が過去のＯＰＣで決定した記録パワーの中で最大値あるいは最小値であるか否かを判断し、もし最大値であった場合、上記自動パワー制御時の補正記録パワーＰ′をＰｍａｘとしてメモリ（例えば、データＲＡＭ）に記憶し、最小値であった場合、上記自動パワー制御時の補正記録パワーＰ′をＰｍｉｎとしてメモリに記憶する。またこのとき、同光ディスク，同記録速度におけるＯＰＣ回数もメモリに記憶する。ステップ３２で上記自動パワー制御時の補正記録パワーＰ′を最適記録パワーに決定し、ＯＰＣを終了する。
【００３６】
一方、ステップ２７でＯＰＣ回数が予め設定した回数Ｘ以下ではないと判断した場合、ステップ２８へ進んで上記自動パワー制御時の補正記録パワーＰ′が今までの試し書きによって決定された記録パワーの最小値Ｐｍｉｎから最大値Ｐｍａｘまでの範囲内の値か否かを判断する。上記範囲内の値であると判断した場合、ステップ３２へ進んで上記自動パワー制御時の補正記録パワーＰ′を最適記録パワーに決定し、ＯＰＣを終了する。
ステップ２８で上記自動パワー制御時の補正記録パワーＰ′が今までの試し書きによって決定された記録パワーの最小値Ｐｍｉｎから最大値Ｐｍａｘまでの範囲内の値ではないと判断した場合、ステップ２９へ進んでパワー制御がＡＣＣ（定電流制御）か否かを判断する。定電流制御である場合、ステップ３２へ進んで上記自動パワー制御時の補正記録パワーＰ″を最適記録パワーに決定し、ＯＰＣを終了する。一方、ＡＣＣではない場合、すなわちＡＰＣ（自動パワー制御）である場合、ステップ３０へ進んでＡＣＣ（定電流制御を選択し、ステップ２２へ戻る。
【００３７】
ステップ２２で光ディスク内の試し書き領域の試し書きに使用するパーティション内の各セクタにそれぞれ記録パワーＰを変化させて光を照射してデータを記録する。ステップ２３で各セクタに記録したデータを再生し、その各再生信号から各振幅値ｍを求める。ステップ２４で変数γ＝（Δｍ／ΔＰ）＊（ｍ／Ｐ）を求める。ステップ２５で予め登録された記録パワーＰｔと再生信号の振幅値の変化量γｔとの対応関係の情報に基づいて上記求めた変数γに相当する変化量γｔに対応する記録パワーＰｔを求める。ステップ２６でその求めた記録パワーＰｔに補正値αを加算した定電流制御時の記録パワーＰ″＝Ｐｔ＋αを求める。
【００３８】
ステップ２７で当該光ディスクに対する同じ記録速度によるＯＰＣ回数（試し書き回数）が予め設定した回数Ｘ以下か否かを判断する。ＯＰＣ回数が予め設定した回数Ｘ以下と判断した場合、ステップ３１へ進んで上記定電流制御時の補正記録パワーＰ″が過去のＯＰＣで決定した記録パワーの中で最大値あるいは最小値であるか否かを判断し、もし最大値であった場合、上記定電流制御時の補正記録パワーＰ″をＰｍａｘとしてメモリ（例えば、データＲＡＭ）に記憶し、最小値であった場合、上記定電流制御時の補正記録パワーＰ″をＰｍｉｎとしてメモリに記憶する。またこのとき、同光ディスク，同記録速度におけるＯＰＣ回数もメモリに記憶する。ステップ３２で上記定電流制御時の補正記録パワーＰ″を最適記録パワーに決定し、ＯＰＣを終了する。
【００３９】
一方、ステップ２７でＯＰＣ回数が予め設定した回数Ｘ以下ではないと判断した場合、ステップ２８へ進んで上記定電流制御時の補正記録パワーＰ″が今までの試し書きによって決定された記録パワーの最小値Ｐｍｉｎから最大値Ｐｍａｘまでの範囲内の値か否かを判断する。上記範囲内の値であると判断した場合、ステップ３２へ進んで上記定電流制御時の補正記録パワーＰ″を最適記録パワーに決定し、ＯＰＣを終了する。
【００４０】
このようにして、ＡＰＣを用いて得た最適記録パワーの値をメモリに記憶しておくことにより、ＯＰＣを複数回行ったときに決定する記録パワーのばらつきを求めることができる。そのばらつき度合いをＡＰＣからＡＣＣに切り換える判定材料とし、予め判定基準値を設けることにより、ＡＰＣからＡＣＣに切り換えることができる。
【００４１】
次に、この光ディスク装置における第３の最適記録パワー決定処理について説明する。
ＣＰＵ１４は、ＯＰＣを開始し、最初のステップで自動パワー制御（ＡＰＣ）を選択する。この自動パワー制御は、ＬＤから発生させた光の発光パワーを検出し、その検出された発光パワーのうちの記録パワーにあたるレベルを保持し、その保持されたレベルが予め設定された基準値になるように光源へ供給する電流量を調整して光を発生させる制御である。
【００４２】
次のステップで、光ディスク内の試し書き領域の試し書きに使用するパーティション内の各セクタにそれぞれ記録パワーＰを変化させて光を照射してデータを記録する。また次のステップで、各セクタに記録したデータを再生し、その各再生信号から各振幅値ｍを求める。次のステップで、変数γ＝（Δｍ／ΔＰ）＊（ｍ／Ｐ）を求める。また次のステップで、予め登録された記録パワーＰｔと再生信号の振幅値の変化量γｔとの対応関係の情報に基づいて上記求めた変数γに相当する変化量γｔに対応する記録パワーＰｔを求める。次のステップで、その求めた記録パワーＰｔに補正値αを加算した自動パワー制御時の記録パワーＰ′＝Ｐｔ＋αを求める。
【００４３】
次のステップで、当該光ディスクに対する同じ記録速度によるＯＰＣ回数（試し書き回数）が予め設定した回数Ｘ以下か否かを判断する。ＯＰＣ回数が予め設定した回数Ｘ以下と判断した場合、次のステップへ進んで上記自動パワー制御時の補正記録パワーＰ′が過去のＯＰＣで決定した記録パワーの中で最大値あるいは最小値であるか否かを判断し、もし最大値であった場合、上記自動パワー制御時の補正記録パワーＰ′をＰｍａｘとしてメモリ（例えば、データＲＡＭ）に記憶し、最小値であった場合、上記自動パワー制御時の補正記録パワーＰ′をＰｍｉｎとしてメモリに記憶する。またこのとき、同光ディスク，同記録速度におけるＯＰＣ回数もメモリに記憶する。次のステップで、上記自動パワー制御時の補正記録パワーＰ′を最適記録パワーに決定し、ＯＰＣを終了する。
【００４４】
一方、上記ステップでＯＰＣ回数が予め設定した回数Ｘ以下ではないと判断した場合、次のステップで、上記自動パワー制御時の補正記録パワーＰ′が今までの試し書きによって決定された記録パワーの最小値Ｐｍｉｎから最大値Ｐｍａｘまでの範囲内の値か否かを判断する。上記範囲内の値であると判断した場合、次のステップで、上記自動パワー制御時の補正記録パワーＰ′を最適記録パワーに決定し、ＯＰＣを終了する。
上記ステップで上記自動パワー制御時の補正記録パワーＰ′が今までの試し書きによって決定された記録パワーの最小値Ｐｍｉｎから最大値Ｐｍａｘまでの範囲内の値ではないと判断した場合、上記自動パワー制御時の補正記録パワーＰ′と上記範囲との差分値を求めて記憶する。つまり、ＡＰＣで得られた補正記録パワーＰ′が既に記憶されているＰｍｉｎよりも小さい値の場合は、（Ｐｍｉｎ−補正記録パワーＰ′）で得られる差分値を求めてメモリに記憶し、補正記録パワーＰ′がＰｍａｘよりも大きい値の場合は、（補正記録パワーＰ′−Ｐｍａｘ）で得られる差分値を求めてメモリに記憶する。
【００４５】
次のステップで自動パワー制御から定電流制御に切り換え、上記ステップへ戻り、光ディスク内の試し書き領域の試し書きに使用するパーティション内の各セクタにそれぞれ記録パワーＰを変化させて光を照射してデータを記録する。次のステップで各セクタに記録したデータを再生し、その各再生信号から各振幅値ｍを求める。次のステップで変数γ＝（Δｍ／ΔＰ）＊（ｍ／Ｐ）を求める。次のステップで予め登録された記録パワーＰｔと再生信号の振幅値の変化量γｔとの対応関係の情報に基づいて上記求めた変数γに相当する変化量γｔに対応する記録パワーＰｔを求める。次のステップでその求めた記録パワーＰｔに補正値αを加算した定電流制御時の記録パワーＰ″＝Ｐｔ＋αを求める。
【００４６】
上記ステップで当該光ディスクに対する同じ記録速度によるＯＰＣ回数（試し書き回数）が予め設定した回数Ｘ以下か否かを判断する。ＯＰＣ回数が予め設定した回数Ｘ以下と判断した場合、次のステップで上記定電流制御時の補正記録パワーＰ″が過去のＯＰＣで決定した記録パワーの中で最大値あるいは最小値であるか否かを判断し、もし最大値であった場合、上記定電流制御時の補正記録パワーＰ″をＰｍａｘとしてメモリ（例えば、データＲＡＭ）に記憶し、最小値であった場合、上記定電流制御時の補正記録パワーＰ″をＰｍｉｎとしてメモリに記憶する。またこのとき、同光ディスク，同記録速度におけるＯＰＣ回数もメモリに記憶する。次のステップで上記定電流制御時の補正記録パワーＰ″を最適記録パワーに決定し、ＯＰＣを終了する。
【００４７】
一方、上記ステップでＯＰＣ回数が予め設定した回数Ｘ以下ではないと判断した場合、次のステップで上記定電流制御時の補正記録パワーＰ″が今までの試し書きによって決定された記録パワーの最小値Ｐｍｉｎから最大値Ｐｍａｘまでの範囲内の値か否かを判断する。上記範囲内の値であると判断した場合、次のステップで上記定電流制御時の補正記録パワーＰ″を最適記録パワーに決定し、ＯＰＣを終了する。
【００４８】
また、上記ステップで上記定電流制御時の補正記録パワーＰ″が今までの試し書きによって決定された記録パワーの最小値Ｐｍｉｎから最大値Ｐｍａｘまでの範囲内ではないと判断したら、上記ステップで上記定電流制御時の補正記録パワーＰ″が今までの試し書きによって決定された記録パワーの最小値Ｐｍｉｎから最大値Ｐｍａｘまでの範囲内の値ではないと判断した場合、上記定電流制御時の補正記録パワーＰ″と上記範囲との差分値を求めて記憶する。つまり、ＡＣＣで得られた補正記録パワーＰ″が既に記憶されているＰｍｉｎよりも小さい値の場合は、（Ｐｍｉｎ−補正記録パワーＰ″）で得られる差分値を求めてメモリに記憶し、補正記録パワーＰ″がＰｍａｘよりも大きい値の場合は、（補正記録パワーＰ″−Ｐｍａｘ）で得られる差分値を求めてメモリに記憶する。
そして、上記自動パワー制御時の補正記録パワーＰ′と上記範囲との差分値と上記定電流制御時の補正記録パワーＰ″と上記範囲との差分値とを比較し、その差分値の小さい方の補正記録パワーを最適記録パワーに決定して、ＯＰＣを終了する。
【００４９】
このようにして、ＡＰＣとＡＣＣで記録パワー制御の精度の良い方を判定することにより、精度の良い記録パワー制御で得た最適記録パワーを採用することができる。
【産業上の利用可能性】
【００５０】
この発明は、ＭＯ等の他の情報記録装置やデスクトップパソコン，ノートブックパソコン等のパーソナルコンピュータにおいても適用することができる。
【図面の簡単な説明】
【００５１】
【図１】この発明の情報記録装置の一実施形態である光ディスク装置の構成を示す機能ブロック図である。
【図２】図１に示す光ディスク装置における第１の最適記録パワー決定処理を示すフローチャート図である。
【図３】図１に示す光ディスク装置における第２の最適記録パワー決定処理を示すフローチャート図である。
【図４】光ディスクの内周から外周までの記録領域のフォーマットを示す図である。
【符号の説明】
【００５２】
１：光ディスク    ２：スピンドルモータ    ３：ＦＳＰＤ    ４：Ｉ／Ｖアンプ    ５：Ｓ／Ｈ回路    ６：コントローラ    ７：レーザドライバ    ８：ＬＤ    ９：ＰＤ    １０：ＲＦアンプ    １１：Ｐ／Ｈ    １２：Ｂ／Ｈ    １３：不揮発性メモリ    １４：ＣＰＵ    １５：プログラムＲＯＭ    １６：データＲＡＭ    １７：Ａ／Ｄコンバータ    １８：Ｄ／Ａコンバータ    ２０：ＰＣＡ領域    ２１：データ領域    ２２：試し書き領域    ２３：カウント領域 
【図１】
2005209269.tif 000003
【図２】
2005209269.tif 000004
【図３】
2005209269.tif 000005
【図４】
2005209269.tif 000006